(57)【要約】【課題】快適な目覚まし機能、又は、入眠機能を実現できる照明システムを提供する。【解決手段】照明システム１０は、調光可能な第１照明器具３１と、調光可能な第２照明器具３２と、第１照明器具３１及び第２照明器具３２を調光制御する制御器２０と、を備え、制御器２０は、予め設定された制御シーケンスに従って、第１照明器具３１及び第２照明器具３２を調光制御し、制御シーケンスは、点灯制御シーケンスを含み、点灯制御シーケンスは、第２照明器具３２の照度を予め定められた第１点灯照度まで徐々に上げる第１点灯動作Ｓ１１と、第１点灯動作Ｓ１１の終了後、第１照明器具３１の照度を徐々に上げる第２点灯動作Ｓ１２と、を含む。【選択図】図１
2019036523.tif 000002
【特許請求の範囲】
【請求項１】
照明システムであって、
調光可能な第１照明器具と、
調光可能な第２照明器具と、
前記第１照明器具及び前記第２照明器具を調光制御する制御器と、を備え、
前記制御器は、予め設定された制御シーケンスに従って、前記第１照明器具及び前記第２照明器具を調光制御し、
前記制御シーケンスは、点灯制御シーケンスを含み、
前記点灯制御シーケンスは、
前記第２照明器具の照度を予め定められた第１点灯照度まで徐々に上げる第１点灯動作と、
前記第１点灯動作の終了後、前記第１照明器具の照度を徐々に上げる第２点灯動作と、を含む
照明システム。
【請求項２】
照明システムであって、
調光可能な第１照明器具と、
調光可能な第２照明器具と、
前記第１照明器具及び前記第２照明器具を調光制御する制御器と、を備え、
前記制御器は、予め設定された制御シーケンスに従って、前記第１照明器具及び前記第２照明器具を調光制御し、
前記制御シーケンスは、消灯制御シーケンスを含み、
前記消灯制御シーケンスは、
前記第１照明器具の照度を予め定められた第１消灯照度まで徐々に下げる第１消灯動作と、
前記第１消灯動作の終了後、前記第２照明器具の照度を予め定められた第２消灯照度から徐々に下げる第２消灯動作と、を含む
照明システム。
【請求項３】
前記制御シーケンスは、消灯制御シーケンスを含み、
前記消灯制御シーケンスは、
前記第１照明器具の照度を予め定められた第１消灯照度まで徐々に下げる第１消灯動作と、
前記第１消灯動作の終了後、前記第２照明器具の照度を予め定められた第２消灯照度から徐々に下げる第２消灯動作と、を含む
請求項１に記載の照明システム。
【請求項４】
前記第２点灯動作は、前記第１点灯動作が終了してから予め定められた第１待機時間経過後に開始される
請求項１又は３に記載の照明システム。
【請求項５】
前記第２消灯動作は、前記第１消灯動作が終了してから予め定められた第２待機時間経過後に開始される
請求項２又は３に記載の照明システム。
【請求項６】
前記第２点灯動作において前記第１照明器具が最小照度で点灯する際の前記第１照明器具及び前記第２照明器具の合計照度は、前記第１点灯照度の９７％以上、かつ、１０３％以下である
請求項１又は３に記載の照明システム。
【請求項７】
前記第２消灯動作において前記第２照明器具が照度を最小変化量だけ下げる際の前記第１照明器具及び前記第２照明器具の合計照度は、前記第１消灯照度及び前記第２消灯照度の合計照度の９７％以上、かつ、１０３％以下である
請求項２又は３に記載の照明システム。
【請求項８】
前記第１照明器具の前記最小照度は、前記第１点灯照度の３％以下であり、かつ、前記第１照明器具が前記最小照度で点灯する際の前記第２照明器具の照度が前記第１点灯照度である
請求項６に記載の照明システム。
【請求項９】
第２点灯動作において、前記第１照明器具が最小照度で点灯する際に、前記最小照度だけ前記第２照明器具の照度を下げる
請求項６に記載の照明システム。
【請求項１０】
前記制御器は、
前記第１照明器具に配置された第１制御回路と、
前記第２照明器具に配置された第２制御回路と、
前記第１制御回路及び前記第２制御回路の各々に対して、前記制御シーケンスを有線通信又は無線通信によって送信する設定機器と、を有し、
前記第１制御回路は、受信した前記制御シーケンスに従って、前記第１照明器具を調光制御し、
前記第２制御回路は、受信した前記制御シーケンスに従って、前記第２照明器具を調光制御する
請求項１〜３のいずれか１項に記載の照明システム。
【請求項１１】
前記制御器は、
前記第１照明器具に配置された第１制御回路と、
前記第２照明器具に配置された第２制御回路と、
前記制御シーケンスに従って、前記第１制御回路及び前記第２制御回路にそれぞれ第１制御信号及び第２制御信号を有線通信又は無線通信によって送信する遠隔制御装置と、を有し、
前記第１制御回路は、受信した第１制御信号に従って、前記第１照明器具を調光制御し、
前記第２制御回路は、受信した第２制御信号に従って、前記第２照明器具を調光制御する
請求項１〜３のいずれか１項に記載の照明システム。
【請求項１２】
前記第１照明器具及び前記第２照明器具は、調色可能である
請求項１〜３のいずれか１項に記載の照明システム。
【発明の詳細な説明】
【技術分野】
【０００１】
本発明は、照明器具と、当該照明器具の調光を制御する制御器と、を備える照明システムに関する。
【背景技術】
【０００２】
従来、光の刺激による目覚まし機能を有する照明デバイスが知られている。例えば、特許文献１に記載された照明デバイスは、光源から赤色光及び白色光を徐々に光度を高めながら出射する。これにより、光の刺激でユーザの目覚めを喚起しようとしている。
【先行技術文献】
【特許文献】
【０００３】
【特許文献１】中国特許出願公開第１０１９１０７１６号明細書
【発明の概要】
【発明が解決しようとする課題】
【０００４】
しかしながら、特許文献１に記載の照明デバイスでは、赤色光用の光源と白色光用の光源とが、同一の筐体に収容されているため、ユーザに与える光の刺激の調整における自由度が小さい。このため、例えば、照明デバイスの点灯開始時などに、ユーザが、光の刺激を不快に感じる場合があり得る。また、特許文献１には、目覚めの喚起については開示されているものの、快適な入眠を促す機能については開示されていない。
【０００５】
そこで、本発明は、快適な目覚まし機能、又は、入眠機能を実現できる照明システムを提供することを目的とする。
【課題を解決するための手段】
【０００６】
上記目的を達成するため、本発明の一態様に係る照明システムは、調光可能な第１照明器具と、調光可能な第２照明器具と、前記第１照明器具及び前記第２照明器具を調光制御する制御器と、を備え、前記制御器は、予め設定された制御シーケンスに従って、前記第１照明器具及び前記第２照明器具を調光制御し、前記制御シーケンスは、点灯制御シーケンスを含み、前記点灯制御シーケンスは、前記第２照明器具の照度を予め定められた第１点灯照度まで徐々に上げる第１点灯動作と、前記第１点灯動作の終了後、前記第１照明器具の照度を徐々に上げる第２点灯動作と、を含む。
【０００７】
また、上記目的を達成するため、本発明の一態様に係る照明システムは、調光可能な第１照明器具と、調光可能な第２照明器具と、前記第１照明器具及び前記第２照明器具を調光制御する制御器と、を備え、前記制御器は、予め設定された制御シーケンスに従って、前記第１照明器具及び前記第２照明器具を調光制御し、前記制御シーケンスは、消灯制御シーケンスを含み、前記消灯制御シーケンスは、前記第１照明器具の照度を予め定められた第１消灯照度まで徐々に下げる第１消灯動作と、前記第１消灯動作の終了後、前記第２照明器具の照度を予め定められた第２消灯照度から徐々に下げる第２消灯動作と、を含む。
【発明の効果】
【０００８】
本発明によれば、快適な目覚まし機能、又は、入眠機能を実現できる照明システムを提供できる。
【図面の簡単な説明】
【０００９】
【図１】図１は、実施の形態に係る照明システムの機能構成を示すブロック図である。
【図２】図２は、実施の形態に係る照明システムのレイアウト例を示す透視図である。
【図３】図３は、実施の形態に係る照明システムのレイアウト例を示す平面図である。
【図４】図４は、実施の形態に係る点灯制御シーケンスを示すフローチャートである。
【図５】図５は、実施の形態に係る点灯制御シーケンスにおける第１照明器具及び第２照明器具の照度の時間波形の一例を示すグラフである。
【図６】図６は、図５に示されるグラフの時点Ｔ１３付近の拡大図である。
【図７】図７は、実施の形態に係る点灯制御シーケンスにおける第１照明器具及び第２照明器具の照度の時間波形の他の一例を示すグラフである。
【図８】図８は、実施の形態に係る消灯制御シーケンスを示すフローチャートである。
【図９】図９は、実施の形態に係る消灯制御シーケンスにおける第１照明器具及び第２照明器具の照度の時間波形の一例を示すグラフである。
【図１０】図１０は、図９に示されるグラフの時点Ｔ２３付近の拡大図である。
【図１１】図１１は、実施の形態に係る照明システムの点灯制御シーケンスを設定するためのユーザインタフェースの例を示す図である。
【図１２】図１２は、実施の形態に係る照明システムの消灯制御シーケンスを設定するためのユーザインタフェースの例を示す図である。
【図１３】図１３は、実施の形態に係る点灯制御シーケンスにおける照度の時間波形の決定方法を示すグラフである。
【図１４】図１４は、実施の形態に係る点灯制御シーケンスにおける色温度の時間波形の決定方法を示すグラフである。
【図１５】図１５は、変形例に係る照明システムの機能構成を示すブロック図である。
【発明を実施するための形態】
【００１０】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態）
実施の形態に係る照明システムについて説明する。
【００１３】
［１．照明システムの構成］
本実施の形態に係る照明システムの構成について図面を用いて説明する。
【００１４】
図１は、本実施の形態に係る照明システム１０の機能構成を示すブロック図である。図２及び図３は、それぞれ本実施の形態に係る照明システム１０のレイアウト例を示す透視図、及び、平面図である。なお、図２及び図３には、ベッド９５を備える寝室９０に本実施の形態に係る照明システム１０を配置する場合のレイアウト例が示されている。
【００１５】
本実施の形態に係る照明システム１０は、例えば、寝室９０などに備えられ、光によってユーザの目覚め及び入眠の少なくとも一方を補助するシステムである。図１に示されるように、照明システム１０は、第１照明器具３１と、第２照明器具３２と、音響機器３３と、それらを制御する制御器２０と、を備える。なお、照明システム１０は、音響機器３３を必ずしも備えなくてもよい。
【００１６】
第１照明器具３１及び第２照明器具３２は、調光可能な照明器具であり、制御器２０によって制御される。第１照明器具３１及び第２照明器具３２は、それぞれ、例えば、ＬＥＤ（Ｌｉｇｈｔ  Ｅｍｉｔｔｉｎｇ  Ｄｉｏｄｅ）などの光源を備える。また、第１照明器具３１及び第２照明器具３２は、それぞれ、互いに異なる発光色を有する複数の光源を備えてもよく、これらの複数の光源からの出射光の強度比を変えることで調色可能であってもよい。また、第１照明器具３１及び第２照明器具３２の各個数は特に限定されず、一つであっても、複数であってもよい。
【００１７】
第１照明器具３１は、照明システム１０が設置される寝室９０の主照明器具であってもよい。言い換えると、第１照明器具３１は、ベッド９５上のユーザに対して比較的強い刺激を与える照明器具であってもよい。例えば、第１照明器具３１は、図２及び図３に示されるように、天井９１におけるベッド９５の上方に配置されるシーリングライトであってもよい。
【００１８】
第２照明器具３２は、照明システム１０が設置される寝室９０の補助的な照明器具であってもよい。言い換えると、第２照明器具３２は、ベッド９５上のユーザに対して比較的弱い刺激を与える照明器具であってもよい。第２照明器具３２は、例えば、図２及び図３に示されるように、天井９１におけるベッド９５の周辺に配置されるダウンライトであってもよい。
【００１９】
音響機器３３は、音を出力する機器であり、制御器２０によって制御される。音響機器３３は、例えば、スピーカであってもよい。音響機器３３の個数は特に限定されず、一つであっても複数であってもよい。図２及び図３に示される例では、ベッド９５に対して左右両側にそれぞれ一つの音響機器３３が配置される。
【００２０】
制御器２０は、第１照明器具３１及び第２照明器具３２を調光制御する機器である。制御器２０は、第１照明器具３１及び第２照明器具３２を調色制御してもよい。制御器２０は、予め設定された制御シーケンスに従って、第１照明器具３１及び第２照明器具３２を調光制御する。制御シーケンスは、点灯制御シーケンス及び消灯制御シーケンスの少なくとも一方を含む。
【００２１】
点灯制御シーケンスは、第２照明器具の照度を予め定められた第１点灯照度まで徐々に上げる第１点灯動作と、第１点灯動作の終了後、第１照明器具３１の照度を徐々に上げる第２点灯動作と、を含む。消灯制御シーケンスは、第１照明器具３１の照度を予め定められた第１消灯照度まで徐々に下げる第１消灯動作と、第１消灯動作の終了後、第２照明器具３２の照度を予め定められた第２消灯照度から徐々に下げる第２消灯動作と、を含む。上記各制御シーケンスについては、後で詳述する。
【００２２】
制御器２０は、図１に示されるように、第１制御回路２１と、第２制御回路２２と、音響制御回路２３と、設定機器２４と、を備える。なお、照明システム１０が、音響機器３３を備えない場合には、制御器２０は、音響制御回路２３を必ずしも備えなくてもよい。
【００２３】
第１制御回路２１は、第１照明器具３１を調光制御する回路である。第１制御回路２１は、設定機器２４から送信された制御シーケンスを受信し、受信した制御シーケンスに従って、第１照明器具３１を調光制御する。また、第１制御回路２１は、第１照明器具３１を調色制御してもよい。第１制御回路２１は、第１照明器具３１に配置されてもよく、例えば、第１照明器具３１の電源回路が収容される電源ボックスに配置されていてもよい。
【００２４】
第２制御回路２２は、第２照明器具３２を調光制御する回路である。第２制御回路２２は、設定機器２４から送信された制御シーケンスを受信し、受信した制御シーケンスに従って、第２照明器具３２を調光制御する。また、第２制御回路２２は、第２照明器具３２を調色制御してもよい。第２制御回路２２は、第２照明器具３２に配置されてもよく、例えば、第２照明器具３２の電源回路が収容される電源ボックスに配置されていてもよい。
【００２５】
第１制御回路２１及び第２制御回路２２は、例えば、マイコン（マイクロコンピュータ）で実現される。マイコンは、プログラムが格納されたＲＯＭ、ＲＡＭ、プログラムを実行するプロセッサ（ＣＰＵ）、タイマ、入出力回路などを有する１チップの半導体集積回路である。
【００２６】
音響制御回路２３は、音響機器３３の音量などを制御する回路である。音響制御回路２３は、設定機器２４から送信された制御シーケンスを受信し、当該制御シーケンスに基づいて音響機器３３を制御する。音響制御回路２３は、例えば、音響機器３３の筐体内に配置されていてもよいし、音響機器３３とは、別の筐体内に配置されてもよい。例えば、照明システム１０において、音響機器３３が受信する信号を増幅するための増幅器（図示せず）を用いる場合には、音響制御回路２３は、当該増幅器の筐体内に配置されてもよい。
【００２７】
設定機器２４は、第１制御回路２１及び第２制御回路２２の各々に対して、制御シーケンスを有線通信又は無線通信によって送信する機器である。設定機器２４は、制御シーケンスを第１制御回路２１及び第２制御回路２２に送信できる機器であれば特に限定されない。設定機器２４は、例えば、プログラムが格納されたＲＯＭ、ＲＡＭ、プログラムを実行するプロセッサ（ＣＰＵ）、タイマ、入出力回路などを有する端末で実現される。このような端末として、例えば、スマートフォン、タブレット型端末などの携帯端末を用いることができる。
【００２８】
［２．点灯制御シーケンス］
次に、本実施の形態に係る照明システム１０の制御シーケンスの一例である点灯制御シーケンスについて図面を用いて説明する。
【００２９】
図４は、本実施の形態に係る点灯制御シーケンスを示すフローチャートである。図５は、本実施の形態に係る点灯制御シーケンスにおける第１照明器具３１及び第２照明器具３２の照度の時間波形の一例を示すグラフである。グラフ（ａ）及びグラフ（ｂ）は、それぞれ第１照明器具３１及び第２照明器具３２の照度の時間波形を示す。
【００３０】
図４に示されるように、点灯制御シーケンスには、第１点灯動作Ｓ１１と、第２点灯動作Ｓ１２と、が含まれる。点灯制御シーケンスには、さらに、第１音響動作Ｓ１３が含まれてもよい。
【００３１】
点灯制御シーケンスにおいては、まず、第１点灯動作Ｓ１１が実行される。第１点灯動作Ｓ１１は、第２照明器具３２の照度を予め定められた第１点灯照度まで徐々に上げる動作である。本実施の形態では、第２制御回路２２によって、第２照明器具３２の照度は、時点Ｔ１１から時点Ｔ１２までの第１点灯時間の間に、第１点灯照度まで直線状に上げられる。なお、照明システム１０が複数の第２照明器具３２を備える場合には、第１点灯動作Ｓ１１において、複数の第２照明器具３２が同時に制御される。第２照明器具３２の照度の上げ方は、特に限定されない。第２照明器具３２の照度の上げ方は、例えば、実質的に連続的であってもよいし、ステップ状であってもよい。また、第２照明器具３２の照度の上げ方は、直線状でなくてもよく、曲線状であってもよい。また、第１点灯照度は、第２照明器具３２の定格照度の１００％でもよいし、１００％未満であってもよい。
【００３２】
第２照明器具３２として、例えば、ベッド９５の周辺に配置された照明器具を採用する場合には、ベッド９５上で睡眠中のユーザに対して強い刺激を与えることを抑制しながら照度を上げることができる。このため、ユーザが感じる不快感を抑制しながら徐々にユーザの目覚めを喚起できる。
【００３３】
第１点灯動作Ｓ１１が終了する時点Ｔ１２から第１待機時間が経過した時点Ｔ１３において、第２点灯動作Ｓ１２が実行される。ここで、第１待機時間は、第２点灯動作Ｓ１２開始時に、ユーザが急激に明るくなったように感じることを抑制できるように適宜設定される。第１待機時間は、例えば、ゼロより大きく１０分以下程度でもよいし、第２点灯動作Ｓ１２開始時におけるユーザに対する刺激が十分に小さい場合には、第１待機時間はゼロでもよい。また、第１点灯時間及び後述する第２点灯時間が長いほど、第１照明器具３１及び第２照明器具３２の照度の上昇を緩やかにできる。このため、第１点灯時間及び第２点灯時間が長いほど、第１待機時間を短くしてもよい。また、第１待機時間は、ユーザによって所望の時間に設定されてもよい。
【００３４】
第２点灯動作Ｓ１２は、第１照明器具３１の照度を予め定められた第２点灯照度まで徐々に上げる動作である。本実施の形態では、第１照明器具３１の照度は、第１制御回路２１によって、時点Ｔ１３から時点Ｔ１４までの第２点灯時間の間に第２点灯照度まで曲線状に上げられる。なお、照明システム１０が複数の第１照明器具３１を備える場合には、第２点灯動作Ｓ１２において、複数の第１照明器具３１が同時に制御される。第１照明器具３１の照度の上げ方は、特に限定されない。第１照明器具３１の照度の上げ方は、例えば、実質的に連続的であってもよいし、ステップ状であってもよい。また、第１照明器具３１の照度の上げ方は、曲線状でなくてもよく、直線状であってもよい。
【００３５】
第１照明器具３１として、例えば、ベッド９５の真上、又は、その近傍に配置された照明器具を採用する場合には、ベッド９５上で睡眠中のユーザに対して強い刺激を与え得る。この場合にも、第１照明器具３１の照度を徐々に上げることによって、ユーザに与える不快感を抑制しながら徐々にユーザの目覚めを喚起できる。
【００３６】
このように、照明システム１０では、睡眠中のユーザに刺激を与える第１照明器具３１及び第２照明器具３２の照度を別々に、かつ、徐々に上げることができる。このため、ユーザに与える不快感が抑制された目覚まし機能を実現できる。しかも、本実施の形態では、第１照明器具３１及び第２照明器具３２が同一の筐体に含まれなくてもよく、ユーザに与える光の刺激の調整の自由度が高いため、より快適な目覚まし機能を実現できる。
【００３７】
本実施の形態に係る照明システム１０において、第２点灯動作Ｓ１２を開始する際、つまり、第１照明器具３１を点灯する際に、光の刺激の急激な上昇に伴って、ユーザが不快に感じる場合があり得る。そこで、本実施の形態では、第１照明器具３１がユーザに与える不快感を抑制するための点灯制御を行う。当該点灯制御について、図面を用いて説明する。
【００３８】
図６は、図５に示されるグラフの時点Ｔ１３付近の拡大図である。図６に示されるように、第２点灯動作において、最初に第１照明器具３１を点灯した瞬間における照度を最小照度とする。時点Ｔ１３以降、第１制御回路２１の時間分解能ΔＴ毎に、第１照明器具３１の照度が上げられる。
【００３９】
本実施の形態では、第２点灯動作Ｓ１２において第１照明器具３１が最小照度で点灯する際の第１照明器具３１及び第２照明器具３２の合計照度は、第１点灯照度の９７％以上、かつ、１０３％以下である。図６に示される例では、第１照明器具３１の最小照度は、第１点灯照度の３％以下である。これにより、第１照明器具３１が最小照度で点灯される瞬間における照明システム１０全体から出射される光の照度の変化を十分小さく抑えることができる。このため、ユーザに不快感を与えることを抑制することができる。
【００４０】
図６に示される例では、第１照明器具３１の最小照度は、第１点灯照度の３％以下であり、かつ、第１照明器具３１が最小照度で点灯する際の第２照明器具３２の照度が第１点灯照度である。
【００４１】
なお、図６に示される例では、第２照明器具３２の照度を第１点灯照度に維持したまま、第１照明器具３１を点灯したが、第１照明器具３１を点灯する際に、第２照明器具３２の照度を第１点灯照度未満に低下させてもよい。このような動作例について図面を用いて説明する。
【００４２】
図７は、本実施の形態に係る点灯制御シーケンスにおける第１照明器具３１及び第２照明器具３２の照度の時間波形の他の一例を示すグラフである。図７には、第１照明器具３１を点灯する時点Ｔ１３付近のグラフの拡大図が示されている。拡大図（ａ）及び拡大図（ｂ）は、それぞれ第１照明器具３１及び第２照明器具３２の照度の時間波形を示す。
【００４３】
図７に示される例では、第２点灯動作Ｓ１２において、第１照明器具３１を最小照度で点灯する際に、実質的に同時に、第２照明器具３２の照度を当該最小照度だけ低下させている。この例においても、第２点灯動作Ｓ１２において第１照明器具３１が最小照度で点灯する際の第１照明器具３１及び第２照明器具３２の合計照度は、第１点灯照度の９７％以上、かつ、１０３％以下となるように第１照明器具３１及び第２照明器具３２が制御される。これにより、第１照明器具３１が最小照度で点灯される瞬間における照明システム１０全体から出射される光の照度の変化を十分小さく抑えることができる。このため、ユーザに不快感を与えることを抑制することができる。
【００４４】
図４に戻って、第１点灯動作Ｓ１１の終了後、第２点灯動作Ｓ１２と並行して第１音響動作Ｓ１３が実行されてもよい。第１音響動作Ｓ１３は、音響機器３３から出力する音量をゼロから予め定められた第１音量まで徐々に上げる動作である。本実施の形態では、音響制御回路２３によって、音響機器３３の音量は、時点Ｔ１３から時点Ｔ１４までの第２点灯時間の間に第１音量まで徐々に上げられる。音響機器３３から出力する音は、特に限定されない。第１音響動作Ｓ１３において、音響機器３３から音楽を出力してもよい。音楽の種類は、ユーザによって適宜設定されてもよいし、予め定められた音楽でもよい。第１音響動作Ｓ１３において出力する音楽として、例えば、ユーザの心地よい目覚めを喚起するような明るい音楽を用いてもよい。また、第１音響動作開始時における音響機器３３が出力する音量はゼロでなくてもよく、第１音量未満の音量であってもよい。
【００４５】
なお、第１点灯動作Ｓ１１及び第２点灯動作Ｓ１２において、各照明器具の色温度も徐々に変更してもよい。例えば、各照明器具の色温度を徐々に高めてもよい。これにより、より快適な目覚めを喚起できる。
【００４６】
［３．消灯制御シーケンス］
次に、本実施の形態に係る照明システム１０の制御シーケンスの他の一例である消灯制御シーケンスについて図面を用いて説明する。
【００４７】
図８は、本実施の形態に係る消灯制御シーケンスを示すフローチャートである。図９は、本実施の形態に係る消灯制御シーケンスにおける第１照明器具３１及び第２照明器具３２の照度の時間波形の一例を示すグラフである。グラフ（ａ）及びグラフ（ｂ）は、それぞれ第１照明器具３１及び第２照明器具３２の照度の時間波形を示す。
【００４８】
図８に示されるように、消灯制御シーケンスには、第１消灯動作Ｓ２１と、第２消灯動作Ｓ２２とが含まれる。なお、消灯制御シーケンスには、さらに、第２音響動作Ｓ２３が含まれてもよい。
【００４９】
消灯制御シーケンスにおいては、まず、第１消灯動作Ｓ２１が実行される。第１消灯動作Ｓ２１は、第１照明器具３１の照度を予め定められた第１消灯照度まで徐々に下げる動作である。本実施の形態では、第１制御回路２１によって、第１照明器具３１の照度は、時点Ｔ２１から時点Ｔ２２までの第１消灯時間の間に、第１消灯照度まで曲線状に下げられる。なお、照明システム１０が複数の第１照明器具３１を備える場合には、第１消灯動作Ｓ２１において、複数の第１照明器具３１が同時に制御される。第１照明器具３１の照度の下げ方は、特に限定されない。第１照明器具３１の照度の下げ方は、例えば、実質的に連続的であってもよいし、ステップ状であってもよい。また、第１照明器具３１の照度の下げ方は、曲線状でなくてもよく、直線状であってもよい。本実施の形態では、第１消灯照度は、ゼロより大きいが、第１消灯照度はゼロでもよい。
【００５０】
第１照明器具３１として、例えば、ベッド９５の真上、又は、その近傍に配置された照明器具を採用する場合には、第１消灯動作Ｓ２１において、ベッド９５上で睡眠中のユーザに対する比較的強い刺激を徐々に時間をかけて弱めることができる。これにより、ユーザが感じる不快感を抑制しながら徐々にユーザの入眠を促すことができる。
【００５１】
第１消灯動作Ｓ２１と並行して第２音響動作Ｓ２３が実行されてもよい。第２音響動作Ｓ２３は、音響機器３３から出力する音量を予め定められた第２音量から徐々に下げる動作である。本実施の形態では、音響制御回路２３によって、音響機器３３の音量は、時点Ｔ２１から時点Ｔ２２までの第１消灯時間の間にゼロまで徐々に下げられる。音響機器３３から出力する音は、特に限定されない。第２音響動作Ｓ２３において、音響機器３３から音楽を出力してもよい。音楽の種類は、ユーザによって適宜設定されてもよいし、予め定められた音楽でもよい。第２音響動作Ｓ２３において出力する音楽として、例えば、ユーザの心地よい入眠を促すような静かな音楽を用いてもよい。なお、本実施の形態では、時点Ｔ２２において、音響機器３３の音量をゼロにしたが、入眠を促すことができる音量であればゼロでなくてもよい。
【００５２】
第１消灯動作Ｓ２１及び第２音響動作Ｓ２３が終了する時点Ｔ２２から第２待機時間が経過した時点Ｔ２３において、第２消灯動作Ｓ２２が実行される。ここで、第２待機時間は、第２消灯動作Ｓ２２開始時に、ユーザが急激に暗くなったように感じることを抑制できるように適宜設定される。第２待機時間は、例えば、ゼロより大きく１０分以下程度でもよいし、第２消灯動作Ｓ２２開始時におけるユーザに対する刺激が十分に小さい場合には、第２待機時間はゼロでもよい。また、第１消灯時間及び後述する第２消灯時間が長いほど、第１照明器具３１及び第２照明器具３２の照度の減少を緩やかにできる。このため、第１消灯時間及び第２消灯時間が長いほど、第２待機時間を短くしてもよい。また、第２待機時間は、ユーザによって所望の時間に設定されてもよい。
【００５３】
第２消灯動作Ｓ２２は、第２照明器具３２の照度を予め定められた第２消灯照度から徐々に下げる動作である。本実施の形態では、第２照明器具３２の照度は、第２制御回路２２によって、時点Ｔ２３から時点Ｔ２４までの第２消灯時間の間に第２消灯照度から直線状に下げられる。本実施の形態では、第２消灯照度はゼロである。なお、照明システム１０が複数の第２照明器具３２を備える場合には、第２消灯動作Ｓ２２において、複数の第２照明器具３２が同時に制御される。第２照明器具３２の照度の下げ方は、特に限定されない。第２照明器具３２の照度の下げ方は、例えば、実質的に連続的であってもよいし、ステップ状であってもよい。また、第２照明器具３２の照度の下げ方は、直線状でなくてもよく、曲線状であってもよい。
【００５４】
第２照明器具３２として、例えば、ベッド９５の周辺に配置された照明器具を採用する場合には、ベッド９５上で睡眠準備中のユーザに対する比較的弱い刺激を徐々に弱めることができる。このように、徐々に照度を下げることによって、ユーザに与える不快感を抑制しながら徐々にユーザの入眠を促すことができる。
【００５５】
このように、睡眠準備中のユーザに刺激を与える第１照明器具３１及び第２照明器具３２の照度を別々に、かつ、徐々に下げることができる。このため、ユーザに与える不快感が抑制された入眠機能を実現できる。しかも、本実施の形態では、第１照明器具３１及び第２照明器具３２が同一の筐体に含まれなくてもよく、ユーザに与える光の刺激の調整の自由度が高いため、より快適な入眠機能を実現できる。
【００５６】
本実施の形態に係る照明システム１０において、第２消灯動作Ｓ２２を開始する際、つまり、第２照明器具３２の消灯を開始する際に、光の刺激の急激な変化に伴って、ユーザが不快に感じる場合があり得る。そこで、本実施の形態では、第２照明器具３２がユーザに与える不快感を抑制するための消灯制御を行う。当該消灯制御について、図面を用いて説明する。
【００５７】
図１０は、図９に示されるグラフの時点Ｔ２３付近の拡大図である。拡大図（ａ）及び拡大図（ｂ）は、それぞれ第１照明器具３１及び第２照明器具３２の照度の時間波形を示す。
【００５８】
図１０に示されるように、第２消灯動作Ｓ２２において、最初に第２照明器具３２の照度を下げた瞬間における照度の変化量を最小変化量とする。時点Ｔ２３以降、第２制御回路２２の時間分解能ΔＴ毎に、第２照明器具３２の照度が下げられる。なお、第２制御回路２２の時間分解能ΔＴは、第１制御回路２１の時間分解能ΔＴと同じであってもよいし、異なってもよい。
【００５９】
本実施の形態では、第２消灯動作Ｓ２２において第２照明器具３２の照度を最小変化量だけ下げる際の第１照明器具３１及び第２照明器具３２の合計照度は、第１消灯照度及び第２消灯照度の合計照度の９７％以上、かつ、１０３％以下である。図１０に示される例では、第２照明器具３２の最小変化量は、第１消灯照度及び第２消灯照度の合計照度の３％以下である。これにより、第２照明器具３２の照度が最小変化量だけ下げられた瞬間における照明システム１０全体から出射される光の照度の変化を十分小さく抑えることができる。このため、ユーザに不快感を与えることを抑制することができる。
【００６０】
図１０に示される例では、第２照明器具３２の最小変化量は、第１消灯照度及び第２消灯照度の合計照度の３％以下であり、かつ、第２照明器具３２の照度を最小変化量だけ下げる際の第１照明器具３１の照度が第１消灯照度である。
【００６１】
なお、図１０に示される例では、第１照明器具３１の照度を第１消灯照度に維持したまま、第２照明器具３２の照度を下げたが、第２照明器具３２の照度を下げる際に、第１照明器具３１の照度を第１消灯照度より上げてもよい。このような場合においても、第２消灯動作Ｓ２２において第２照明器具３２の照度を最小変化量だけ下げる際の第１照明器具３１及び第２照明器具３２の合計照度は、第１消灯照度及び第２消灯照度の合計照度の９７％以上、かつ、１０３％以下となるように、第１照明器具３１及び第２照明器具３２が制御される。これにより、第１照明器具３１が最小照度で点灯される瞬間における照明システム１０全体から出射される光の照度の変化を十分小さく抑えることができる。このため、ユーザに不快感を与えることを抑制することができる。
【００６２】
なお、第１消灯動作Ｓ２１及び第２消灯動作Ｓ２２において、各照明器具の色温度も徐々に変更してもよい。例えば、各照明器具の色温度を徐々に下げてもよい。これにより、より快適な入眠を促すことができる。
【００６３】
［４．ユーザインタフェース］
次に、本実施の形態に係る照明システム１０のユーザインタフェースについて説明する。
【００６４】
図１１及び図１２は、それぞれ、本実施の形態に係る照明システム１０の点灯制御シーケンス及び消灯制御シーケンスを設定するためのユーザインタフェースの例を示す図である。図１１及び図１２に示されるユーザインタフェースは、設定機器２４のディスプレイなどの表示部に表示される画像である。このような画像は、例えば、スマートフォンなどのタッチパネルに表示される。
【００６５】
本実施の形態に係るユーザインタフェースにおいては、制御シーケンスの内容を示す文字、画像などが示される。例えば、図１１に示されるユーザインタフェースでは、点灯制御シーケンスの設定画面であることを示す「お目覚めモード」という文字が表示される。また、図１２に示されるユーザインタフェースでは、消灯制御シーケンスの設定画面であることを示す「おやすみモード」という文字が表示される。これにより、ユーザが制御シーケンスの内容を容易に理解することができる。
【００６６】
また、本実施の形態に係るユーザインタフェースにおいては、第１照明器具３１及び第２照明器具３２の制御シーケンスをそれぞれ設定するための領域が設けられる。ここでは、第１照明器具３１及び第２照明器具３２として、それぞれシーリングライト及びダウンライトを用いる例について説明する。本例においては、例えば、図１１及び図１２に示されるように、第１照明器具３１の制御シーケンスを設定するための領域Ｒ１１及びＲ２１には、「シーリング設定」という文字が表示される。また、第２照明器具３２の制御シーケンスを設定するための領域Ｒ１２及びＲ２２には、「ダウンライト設定」という文字が表示される。
【００６７】
また、本実施の形態に係るユーザインタフェースにおいては、制御シーケンスの開始、停止、及び、一時停止などの操作を行うための領域Ｒ１０及びＲ２０が設けられる。また、本実施の形態に係るユーザインタフェースにおいて音響機器３３の制御シーケンスなどを設定するための領域Ｒ１３及びＲ２３を設けてもよい。
【００６８】
図１１に示される領域Ｒ１１には、第１照明器具３１（シーリングライト）を選択するボタンＢ１１０、第１照明器具３１の点灯モードを選択するためのボタンＢ１１１、Ｂ１１２及びＢ１１３が設けられる。
【００６９】
ボタンＢ１１０の構成については特に限定されない。例えば、ユーザがボタンＢ１１０にタッチすることで、第１照明器具３１として用いる照明器具を順次変更できてもよいし、第１照明器具３１として用いる複数の照明器具が一覧表示され、それらの少なくとも一つを選択できてもよい。また、第１照明器具３１として用いる照明器具を選択する必要がない場合には、このボタンＢ１１０はなくてもよい。
【００７０】
また、ボタンＢ１１１、Ｂ１１２及びＢ１１３の構成についても特に限定されない。例えば、各ボタンに対応する第１照明器具３１の照度の時間波形を予め定めて、ユーザがボタンＢ１１１、Ｂ１１２及びＢ１１３のいずれかにタッチすることで、各ボタンに対応する時間波形のうち所望の時間波形を選択できてもよい。また、各ボタンに対応する第１照明器具３１の色温度の時間波形を予め定めてもよい。
【００７１】
また、領域Ｒ１１には、入力領域Ｒ１１１、Ｒ１１２及びＲ１１３が設けられる。入力領域Ｒ１１１は、点灯制御シーケンスにおける第１照明器具３１の最終照度（つまり、第２点灯照度）を入力する領域である。入力領域Ｒ１１２は、制御シーケンスにおける制御間隔、つまり、制御を行う時間間隔を入力する領域である。入力領域Ｒ１１３は、色温度を固定する場合に、色温度を入力する領域である。
【００７２】
また、図１１に示される領域Ｒ１２には、領域Ｒ１１と同様に、第２照明器具３２（ダウンライト）を選択するボタンＢ１２０、第２照明器具３２の点灯モードを選択するためのボタンＢ１２１、Ｂ１２２及びＢ１２３が設けられる。また、領域Ｒ１２には、領域Ｒ１１と同様に、入力領域Ｒ１２１、Ｒ１２２及びＲ１２３が設けられる。ただし、入力領域Ｒ１２１は、点灯制御シーケンスにおける第２照明器具３２の最終色温度を入力する領域である。
【００７３】
また、図１１に示される領域Ｒ１３には、例えば、入力領域Ｒ１３１、Ｒ１３２、Ｒ１３３、及び、ボタンＢ１３０が設けられる。
【００７４】
入力領域Ｒ１３１は、点灯制御シーケンスにおける第１待機時間を入力する領域である。なお、入力領域Ｒ１３１に入力されるパラメータは、第１待機時間以外のパラメータであってもよい。例えば、入力領域Ｒ１３１に入力されるパラメータは、点灯制御シーケンスの開始から、第１照明器具３１の点灯開始までの時間であってもよい。
【００７５】
入力領域Ｒ１３２は、点灯制御シーケンスにおける第１点灯時間終了時点から、音響機器３３の出力開始時点までの時間を入力する領域である。当該時間が第１待機時間と同じである場合には、入力領域Ｒ１３２はなくてもよい。なお、入力領域Ｒ１３２には、第１点灯時間終了時点から、音響機器３３の出力開始時点までの時間以外のパラメータを入力できてもよい。例えば、点灯制御シーケンスの開始時点から、音響機器３３の出力開始時点までの時間を入力できてもよい。
【００７６】
入力領域Ｒ１３３は、音響機器３３の出力を継続する時間を入力する領域である。
【００７７】
ボタンＢ１３０は、音響機器３３から出力する音の種類を選択するためのボタンである。例えば、ユーザがボタンＢ１３０にタッチすることで、音響機器３３から出力する音楽などを順次変更できてもよいし、音響機器３３から出力し得る複数の音楽などが一覧表示され、それらの少なくとも一つを選択できてもよい。また、音響機器３３から出力し得る音楽などを選択する必要がない場合には、このボタンＢ１３０はなくてもよい。
【００７８】
また、図１１に示される領域Ｒ１０には、ボタンＢ１０１及びＢ１０２が設けられる。ボタンＢ１０１は、点灯制御シーケンスの開始及び一時停止を行うためのボタンである。例えば、ボタンＢ１０１をユーザがタッチすることで、点灯制御シーケンスの開始及び一時停止を切り替えられてもよい。ボタンＢ１０２は、点灯制御シーケンスを停止するためのボタンである。例えば、ボタンＢ１０２をユーザがタッチすることで、点灯制御シーケンスを停止できてもよい。
【００７９】
図１２に示される領域Ｒ２１には、図１１に示される領域Ｒ１１と同様に、第１照明器具３１（シーリングライト）を選択するボタンＢ２１０、第１照明器具３１の消灯モードを選択するためのボタンＢ２１１、Ｂ２１２及びＢ２１３が設けられる。
【００８０】
また、領域Ｒ２１には、入力領域Ｒ２１１、Ｒ２１２及びＲ２１３が設けられる。入力領域Ｒ２１１は、消灯制御シーケンスにおける第１照明器具３１の初期照度を入力する領域である。なお、領域Ｒ２１に、消灯制御シーケンスにおける第１照明器具３１の最終照度（第１消灯照度）を入力する領域を設けてもよい。
【００８１】
図１２に示される領域Ｒ２２には、図１１に示される領域Ｒ１２と同様に、第２照明器具３２（ダウンライト）を選択するボタンＢ２２０、第２照明器具３２の消灯モードを選択するためのボタンＢ２２１、Ｂ２２２及びＢ２２３が設けられる。
【００８２】
また、領域Ｒ２２には、入力領域Ｒ２２１、Ｒ２２２及びＲ２２３が設けられる。入力領域Ｒ２２１は、消灯制御シーケンスにおける第２照明器具３２の初期照度（第２消灯照度）を入力する領域である。なお、領域Ｒ２２に、消灯制御シーケンスにおける第２照明器具３２の最終照度を入力する領域を設けてもよい。
【００８３】
図１２に示される領域Ｒ２３には、例えば図１１に示される領域Ｒ１３と同様に、入力領域Ｒ２３１、Ｒ２３２、Ｒ２３３、及び、ボタンＢ２３０が設けられる。ただし、入力領域Ｒ２３１は、消灯制御シーケンスにおける第２待機時間を入力する領域である。なお、入力領域Ｒ２３１に入力されるパラメータは、第２待機時間以外のパラメータであってもよい。例えば、入力領域Ｒ２３１に入力されるパラメータは、消灯制御シーケンスの開始から、第２照明器具３２の減灯開始までの時間であってもよい。
【００８４】
図１２に示される領域Ｒ２０には、図１１に示される領域Ｒ１０と同様に、ボタンＢ２０１及びＢ２０２が設けられる。
【００８５】
以上のような、ユーザインタフェースを用いることにより、ユーザは、容易にかつ自在に制御シーケンスを設定することができる。
【００８６】
［５．時間波形］
次に、本実施の形態に係る制御シーケンスにおける各照明器具の照度及び色温度の時間波形の決定方法について図面を用いて説明する。
【００８７】
図１３及び図１４は、それぞれ、本実施の形態に係る点灯制御シーケンスにおける照度及び色温度の時間波形の決定方法を示すグラフである。
【００８８】
図１３及び図１４に示されるように、各照明器具の照度及び色温度を決定する際に参照カーブを用いることができる。ここで、参照カーブとは、ユーザが快適に感じるように設定された照度又は色温度の時間波形を示すカーブである。参照カーブは、実験などに基づいて作成されてもよいし、ユーザによって所望の形状に作成されてもよい。参照カーブは、例えば、照明システム１０の設定機器２４に記憶されてもよい。
【００８９】
本実施の形態では、参照カーブと、設定された初期照度、最終色温度などのパラメータとに基づいて、各時間波形が決定される。具体的には、参照カーブと同様の形状を有する補正カーブを形成する。照度の時間波形の補正カーブは、初期照度及び最終照度に基づいて、参照カーブを縦軸の方向に伸縮させることによって形成できる。色温度の時間波形の補正カーブは、初期色温度及び最終色温度に基づいて、参照カーブを縦軸の方向に伸縮させることによって形成できる。
【００９０】
なお、点灯制御シーケンスにおける各照明器具の照度及び色温度の時間波形の決定方法は、上述の方法に限定されない。例えば、時間波形を示す多項式を用いて、その係数を変化させることによって、時間波形を決定してもよい。
【００９１】
また、以上では、点灯制御シーケンスにおける各時間波形の決定方法について説明したが、消灯制御シーケンスにおける時間波形についても同様である。
【００９２】
［６．効果など］
以上のように、本実施の形態に係る照明システム１０は、調光可能な第１照明器具３１と、調光可能な第２照明器具３２と、第１照明器具３１及び第２照明器具３２を調光制御する制御器２０と、を備える。制御器２０は、予め設定された制御シーケンスに従って、第１照明器具３１及び第２照明器具３２を調光制御し、制御シーケンスは、点灯制御シーケンスを含む。点灯制御シーケンスは、第２照明器具３２の照度を予め定められた第１点灯照度まで徐々に上げる第１点灯動作Ｓ１１と、第１点灯動作Ｓ１１の終了後、第１照明器具３１の照度を徐々に上げる第２点灯動作Ｓ１２と、を含む。
【００９３】
これにより、睡眠中のユーザに刺激を与える第１照明器具３１及び第２照明器具３２の照度を別々に、かつ、徐々に上げることができる。このため、ユーザに与える不快感が抑制された目覚まし機能を実現できる。しかも、本実施の形態では、第１照明器具３１及び第２照明器具３２が同一の筐体に含まれなくてもよく、ユーザに与える光の刺激の調整の自由度が高いため、より、快適な目覚まし機能を実現し得る。
【００９４】
また、照明システム１０において、制御シーケンスは、消灯制御シーケンスを含み、消灯制御シーケンスは、第１照明器具３１の照度を予め定められた第１消灯照度まで徐々に下げる第１消灯動作Ｓ２１と、第１消灯動作Ｓ２１の終了後、第２照明器具３２の照度を予め定められた第２消灯照度から徐々に下げる第２消灯動作Ｓ２２と、を含む。
【００９５】
これにより、睡眠準備中のユーザに刺激を与える第１照明器具３１及び第２照明器具３２の照度を別々に、かつ、徐々に下げることができる。このため、ユーザに与える不快感が抑制された入眠機能を実現できる。しかも、本実施の形態では、第１照明器具３１及び第２照明器具３２が同一の筐体に含まれなくてもよく、ユーザに与える光の刺激の調整の自由度が高いため、より、快適な入眠機能を実現できる。
【００９６】
また、照明システム１０において、第２点灯動作Ｓ１２は、第１点灯動作Ｓ１１が終了してから予め定められた第１待機時間経過後に開始される。
【００９７】
これにより、第２点灯動作Ｓ１２開始時に、ユーザが急激に明るくなったように感じることを抑制できる。
【００９８】
また、照明システム１０において、第２消灯動作Ｓ２２は、第１消灯動作Ｓ２１が終了してから予め定められた第２待機時間経過後に開始される。
【００９９】
これにより、第２消灯動作Ｓ２２開始時に、ユーザが急激に暗くなったように感じることを抑制できる。
【０１００】
また、照明システム１０において、第２点灯動作Ｓ１２において第１照明器具３１が最小照度で点灯する際の第１照明器具３１及び第２照明器具３２の合計照度は、第１点灯照度の９７％以上、かつ、１０３％以下である。
【０１０１】
これにより、第１照明器具３１が最小照度で点灯される瞬間における照明システム１０全体から出射される光の照度変化を十分小さく抑えることができる。このため、ユーザに不快感を与えることを抑制することができる。
【０１０２】
また、照明システム１０において、第２消灯動作Ｓ２２において第２照明器具３２が照度を最小変化量だけ下げる際の第１照明器具３１及び第２照明器具３２の合計照度は、第１消灯照度及び第２消灯照度の合計照度の９７％以上、かつ、１０３％以下である。
【０１０３】
これにより、第２照明器具３２の照度が最小変化量だけ下げられた瞬間における照明システム１０全体から出射される光の照度変化を十分小さく抑えることができる。このため、ユーザに不快感を与えることを抑制することができる。
【０１０４】
また、照明システム１０において、第１照明器具３１の最小照度は、第１点灯照度の３％以下であり、かつ、第１照明器具３１が最小照度で点灯する際の第２照明器具３２の照度が第１点灯照度である。
【０１０５】
また、照明システム１０において、第２点灯動作Ｓ１２において、第１照明器具３１が最小照度で点灯する際に、最小照度だけ第２照明器具３２の照度を下げる。
【０１０６】
また、照明システム１０において、制御器２０は、第１照明器具３１に配置された第１制御回路２１と、第２照明器具３２に配置された第２制御回路２２と、第１制御回路２１及び第２制御回路２２の各々に対して、制御シーケンスを有線通信又は無線通信によって送信する設定機器２４と、を有する。第１制御回路２１は、受信した制御シーケンスに従って、第１照明器具３１を調光制御し、第２制御回路２２は、受信した制御シーケンスに従って、第２照明器具３２を調光制御する。
【０１０７】
また、照明システム１０において、第１照明器具３１及び第２照明器具３２は、調色可能である。
【０１０８】
これにより、より快適な目覚まし機能、又は、入眠機能を実現できる。
【０１０９】
（変形例など）
以上、本発明について、実施の形態に基づいて説明したが、本発明は、上記実施の形態に限定されるものではない。
【０１１０】
例えば、照明システム１０では、制御シーケンスを設定機器２４から各制御回路に送信する構成を備えたが、照明システムは当該構成を必ずしも備えなくてもよい。以下、当該構成を備えない変形例に係る照明システムについて図面を用いて説明する。
【０１１１】
図１５は、変形例に係る照明システム１１０の機能構成を示すブロック図である。図１５に示されるように、照明システム１１０は、実施の形態に係る照明システム１０と同様に、制御器１２０と、第１照明器具３１と、第２照明器具３２と、を備える。また、照明システム１１０は、音響機器３３を備えてもよい。
【０１１２】
本変形例に係る照明システム１１０においては、制御器１２０は、遠隔制御装置１２４と、第１制御回路１２１と、第２制御回路１２２と、を備える。なお、照明システム１１０が、音響機器３３を備える場合には、制御器１２０は、音響制御回路１２３を備えてもよい。
【０１１３】
遠隔制御装置１２４は、制御シーケンスに従って、第１制御回路１２１及び第２制御回路１２２にそれぞれ第１制御信号及び第２制御信号を有線通信又は無線通信によって送信する装置である。つまり、遠隔制御装置１２４は、制御シーケンスそのものでなく、第１照明器具３１及び第２照明器具３２の各制御量に対応する信号である第１制御信号及び第２制御信号を第１制御回路１２１及び第２制御回路１２２に送信する。また、遠隔制御装置１２４は、制御シーケンスに従って、音響制御回路１２３に音響制御信号を有線通信又は無線通信によって送信してもよい。
【０１１４】
第１制御回路１２１は、遠隔制御装置１２４から受信した第１制御信号に従って、第１照明器具３１を調光制御する回路である。なお、第１制御回路１２１は、第１照明器具３１に配置されてもよい。
【０１１５】
第２制御回路１２２は、遠隔制御装置１２４から受信した第２制御信号に従って、第２照明器具３２を調光制御する回路である。第２制御回路１２２は、第１照明器具３１に配置されてもよい。
【０１１６】
音響制御回路１２３は、遠隔制御装置１２４から受信した音響制御信号に従って、音響機器３３を制御する回路である。音響制御回路１２３は、例えば、音響機器３３の筐体内に配置されていてもよいし、音響機器３３とは、別の筐体内に配置されてもよい。
【０１１７】
以上のように、第１制御回路１２１において、制御シーケンスに基づいて、各時点における制御信号を決定する必要がなく、遠隔制御装置１２４から受信した第１制御信号に対応する制御を行うだけでよい。このため、第１制御回路１２１の構成を、上記実施の形態に係る第１制御回路２１の構成より簡素化することができる。第２制御回路１２２及び音響制御回路１２３についても同様に構成を簡素化することができる。
【０１１８】
以上のように、本変形例に係る照明システム１１０において、制御器１２０は、第１照明器具３１に配置された第１制御回路１２１と、第２照明器具３２に配置された第２制御回路１２２と、制御シーケンスに従って、第１制御回路１２１及び第２制御回路１２２にそれぞれ第１制御信号及び第２制御信号を有線通信又は無線通信によって送信する遠隔制御装置１２４と、を有する。第１制御回路１２１は、受信した第１制御信号に従って、第１照明器具３１を調光制御し、第２制御回路１２２は、受信した第２制御信号に従って、第２照明器具３２を調光制御する。
【０１１９】
これにより、第１制御回路１２１及び第２制御回路１２２において、制御シーケンスに基づいて制御量を決定する必要がないため、第１制御回路１２１及び第２制御回路１２２の構成を簡素化することができる。
【０１２０】
また、上記実施の形態及び変形例に係る各照明システムが備える照明器具の種類は、第１照明器具３１及び第２照明器具３２の二種類に限定されず、三種類以上でもよい。
【０１２１】
また、上記実施の形態では、点灯制御シーケンスの第２点灯動作Ｓ１２において、第２照明器具３２の照度を第１点灯照度で一定に維持したが、第２照明器具３２の照度を徐々に上げてもよい。また、上記実施の形態では、消灯制御シーケンスの第２消灯動作Ｓ２２において、第１照明器具３１の照度を第１消灯照度で一定に維持したが、第１照明器具３１の照度を徐々に下げてもよい。
【０１２２】
また、上記各実施の形態では、光源としてＬＥＤを用いる例を示したが、光源の種類はＬＥＤに限定されない。光源として、例えば、有機ＥＬ素子など、他の光学素子を用いてもよい。
【０１２３】
また、上記実施の形態及び変形例に係る各照明システムは、各照明器具などがそれぞれ異なる筐体に収納されてもよいし、一つの筐体内に収納されてもよい。
【０１２４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１２５】
１０、１１０  照明システム
２０、１２０  制御器
２１、１２１  第１制御回路
２２、１２２  第２制御回路
２３、１２３  音響制御回路
２４  設定機器
３１  第１照明器具
３２  第２照明器具
１２４  遠隔制御装置
【図１】
2019036523.tif 000003
【図２】
2019036523.tif 000004
【図３】
2019036523.tif 000005
【図４】
2019036523.tif 000006
【図５】
2019036523.tif 000007
【図６】
2019036523.tif 000008
【図７】
2019036523.tif 000009
【図８】
2019036523.tif 000010
【図９】
2019036523.tif 000011
【図１０】
2019036523.tif 000012
【図１１】
2019036523.tif 000013
【図１２】
2019036523.tif 000014
【図１３】
2019036523.tif 000015
【図１４】
2019036523.tif 000016
【図１５】
2019036523.tif 000017